(57)【要約】【課題】記憶メディアの内容を簡単に確認できるようにする。【解決手段】ＤＶＤ−ＲＡＭメディア１１には、記憶メディア本体１１ａに記録されたコンテンツデータのインデックスデータを表示する表示装置１３が設けられている。表示装置１３は、前記インデックスデータを記憶する無線タグ１６と、この無線タグ１６内のインデックスデータを表示するＬＣＤパネル１４とを有している。レコーダー１２には、無線タグライターが設けられており、コンテンツデータを記憶メディア本体１１ａに記録する際に、無線タグ１６にインデックスデータを記録する。表示装置１３の電源スイッチ１７ａをオンすると、ＬＣＤパネル１４にインデックスデータが表示される。【選択図】        図１
2005004930.tif 000002
【特許請求の範囲】
【請求項１】
記憶メディア本体に記録されたコンテンツデータのインデックスデータを記憶するメモリと、このメモリ内のインデックスデータを表示する表示パネルとからなる装置本体を有し、この装置本体が記憶メディアの外面に取り付け可能であることを特徴とする記憶メディアのインデックス表示装置。
【請求項２】
前記メモリは無線タグであり、この無線タグには、前記コンテンツデータを記録するレコーダーに設けられた無線タグライターによって、前記インデックスデータが書き込まれることを特徴とする請求項１記載の記憶メディアのインデックス表示装置。
【請求項３】
記憶メディア本体に記録されたコンテンツデータのインデックスデータを記憶するメモリと、このメモリ内の情報を表示する表示パネルとからなる装置本体を有し、この装置本体が記憶メディアの外面に取り付け可能である記憶メディアのインデックス表示装置と、
前記記憶メディアへコンテンツデータを記録するレコーディングユニットと、前記メモリに前記インデックスデータを記録する書き込み装置とを備えたメディアレコーダーとからなることを特徴とする記憶メディアのインデックス記録システム。
【発明の詳細な説明】
【０００１】
【発明の属する技術分野】
本発明は、記憶メディアの記録内容を表示する記憶メディアの記録内容表示装置とそのインデックス記録システムに関するものである。
【０００２】
【従来の技術】
テレビ番組などのコンテンツデータを記録する記憶メディアとしてビデオカセットテープが周知である。ビデオカセットテープに番組を録画した場合には、その記録内容が一目で確認できるように、ビデオカセットテープの外面に貼付され、記録内容をペンで書き込み可能なインデックス用ラベルが用いられる。このインデックス用ラベルの中には、録画したコンテンツデータのインデックスデータを記憶する無線タグを内蔵したものが知られている（例えば、下記特許文献１参照）。
【０００３】
無線タグは、周知のように、情報を記憶する小型のＩＣメモリチップと、このＩＣメモリチップ内の情報を無線により外部と送受信するためのアンテナ部とからなる非接触型ＩＣメモリである。無線タグへのインデックスデータの記録は、無線タグへのデータ書き込み機能を有する専用のビデオカセットテープレコーダー（以下、ＶＣＲという）がテープへの番組録画時に行う。このＶＣＲ本体の前面には、前記無線タグの情報を読み取る読み取り部が設けられており、この読み取り部にビデオカセットテープを近づけると、無線タグ内の情報が読み取られ、読み取られたインデックスデータがＶＣＲに接続されたテレビなどのモニタに表示される。これによれば、ビデオカセットテープを本体に装填することなく、テープの記録内容を確認することができる。
【０００４】
【特許文献１】
特開２０００−３２１９８４号公報
【０００５】
【発明が解決しようとする課題】
しかしながら、上記ラベルでは、無線タグ内の情報は、ＶＣＲに読み取られてテレビへ表示されるので、ユーザーが無線タグ内の情報を確認するためにはＶＣＲとテレビのそれぞれの電源を入れなければならず、操作が多少めんどうであった。
【０００６】
本発明は、簡単に記憶メディアのインデックスを表示できる記憶メディアのインデックス表示装置及びそのインデックス記録システムを提供することを目的とする。
【０００７】
【課題を解決するための手段】
前記目的を達成するために、本発明の記憶メディアのインデックス表示装置は、記憶メディア本体に記録されたコンテンツデータのインデックスデータを記憶するメモリと、このメモリ内のインデックスデータを表示する表示パネルとからなる装置本体を有し、この装置本体が記憶メディアの外面に取り付け可能であることを特徴とする。
【０００８】
前記メモリは無線タグであり、この無線タグには、前記コンテンツデータを記録するレコーダーに設けられた無線タグライターによって、前記インデックスデータが書き込まれる。
【０００９】
また、本発明の記憶メディアのインデックス記録システムは、記憶メディア本体に記録されたコンテンツデータのインデックスデータを記憶するメモリと、このメモリ内の情報を表示する表示パネルとからなり、記憶メディアの外面に貼付可能である記憶メディアのインデックス表示装置と、前記記憶メディアへコンテンツデータを記録するレコーディングユニットと、前記メモリに前記インデックスデータを記録する書き込み装置とを備えたメディアレコーダーとからなることを特徴とする。
【００１０】
【発明の実施の形態】
図１に示すＤＶＤ−ＲＡＭメディア１１は、書き換え可能なＤＶＤ（Ｄｉｇｉｔａｌ  Ｖｅｒｓａｔｉｌｅ  Ｄｉｓｋ）メディアであり、近年、ビデオカセットテープに代わって映像を記録する記憶メディアとして普及しつつある。このＤＶＤ−ＲＡＭメディア１１は、ＤＶＤビデオレコーダー（以下、単にレコーダーという）１２に着脱自在に装填される。レコーダー１２は、ＤＶＤ−ＲＡＭメディア１１にテレビ番組などのコンテンツデータをデジタルデータとして記録するとともに、そのデータを読み出してテレビに再生表示する。
【００１１】
ＤＶＤ−ＲＡＭメディア１１は、コンテンツデータが記録される記憶メディア本体１１ａと、この記憶メディア本体１１ａを収納するケース１１ｂとからなる。さらに、ケース１１ｂには、記憶メディア本体１１ａの記録内容として、コンテンツデータのインデックスデータを表示する表示装置１３が設けられている。表示装置１３は、その本体が薄板形状をしており、本体裏面に塗布された粘着剤によってケース１１ｂの外面に貼付される。
【００１２】
表示装置１３は、ＬＣＤパネル１４を備えており、このＬＣＤパネル１４が本体表面の大部分を占める。表示装置１３には、後述する無線タグ１６が設けられている。記憶メディアのインデックス記録システムは、ＤＶＤ−ＲＡＭメディア１１と、レコーダー１２とによって構成されており、レコーダー１２によって前記インデックスデータが無線タグ１６に記録される。
【００１３】
インデックスデータには、番組タイトル，チャンネル，録画日時などが含まれる。ＬＣＤパネル１４は、この無線タグ１６に記録されたインデックスデータを表示する。このように、ＬＣＤパネル１４に、記憶メディア本体１１ａのインデックスデータが表示されるので、ＤＶＤ−ＲＡＭメディア１１をレコーダー１２に装填することなく、メディアの記録内容を確認することができる。しかも、ＤＶＤ−ＲＡＭメディア１１に設けられた表示装置１３に記録内容が表示されるので、レコーダー１２やテレビの電源を投入する必要がなく、簡単に確認することができる。
【００１４】
ＬＣＤパネル１４の横には、操作部１７が設けられている。操作部１７は、表示装置１３の電源スイッチ１７ａと、スクロールボタン１７ｂ，１７ｃとからなる。スクロールボタン１７ｂ，１７ｃは、画面内にすべての情報を一度に表示できないような場合に、画面に表示される情報をスクロールするために使用される。
【００１５】
図２は、表示装置１３と、レコーダー１２の電気構成の概略を示すブロック図である。レコーダー１２は、コントローラ２１，記録／再生ユニット２２，信号入力部２３，信号出力部２４，無線タグライター２６からなる。コントローラ２１は、レコーダー１２の各部を制御する。信号入力部２３は、アンテナが受信したテレビ放送のアナログ信号が入力される地上波アンテナ入力端子やＢＳアンテナ入力端子などからなる。信号入力部２３から入力されたアナログ信号は、図示しないＡ／Ｄコンバータによってデジタルデータに変換されて、コントローラ２１を介して記録／再生ユニット２２へ入力される。信号出力部２４は、信号入力部２３から入力された信号をテレビへモニタ出力したり、ＤＶＤ−ＲＡＭメディア１１から読み取られた信号をテレビへ出力する。
【００１６】
記録／再生ユニット２２は、デジタルデータに変換された映像／音声信号を、ＭＰＥＧなどの所定のファイル形式に変換して記憶メディア本体１１ａに記録するとともに、記憶メディア本体１１ａに既に記録済みのデジタルデータを読み出して再生する。再生されたデジタルデータは、コントローラ２１を介して信号出力部２４へ出力される。
【００１７】
無線タグライター２６は、記録／再生ユニット２２が記憶メディア本体１１ａにコンテンツデータを記録する際に、表示装置１３内の無線タグ１６にインデックスデータを書き込む。ＢＳデジタル放送やＣＳ放送では、放送電波に載せて放送局から番組情報が送信される。また、地上波についてもＥＰＧ（電子番組表）が提供されており、インターネット接続端末を利用することで前記ＥＰＧのデータを受信することができる。インデックスデータとしては、放送局から提供される番組情報を利用する他、ユーザーが録画予約をする際にリモコンから入力した番組タイトルデータを利用してもよい。また、録画予約コードとして利用されているＧコードに基づいて、録画日時、チャンネル，録画時間などの情報を抽出することができるので、これをインデックスデータとして利用してもよい。
【００１８】
表示装置１３は、ＣＰＵ３１，操作部１７，ＬＣＤパネル１４，無線タグ１６からなる。表示装置１３の本体には、駆動電源であるバッテリ３２が着脱自在に装填される。バッテリ３２としては、例えば、ボタン型の電池が使用される。ＣＰＵ３１は、表示装置１３の各部を制御する。ＬＣＤパネル１４は、ＬＣＤドライバ３３によって駆動される。
【００１９】
無線タグ１６は、情報を記憶する小型のＩＣメモリチップ３４と、ＩＣメモリチップ３４に外部から無線によりアクセスできるように電磁波を送受信するアンテナ部３６とから構成される。無線タグは、無線により各種の認証を行うＲＦＩＤ（Ｒａｄｉｏ  Ｆｒｅｑｕｅｎｃｙ  Ｉｄｅｎｔｉｆｉｃａｔｉｏｎ）システムの構成要素として広く普及しつつあり、ＲＦＩＤタグや電子荷札などとも呼ばれる。無線タグのサイズは、数ｍｍ四方程度の大きさで、厚みはコンマ数ｍｍ程度である。通信方式としては、マイクロ波型、電磁誘導型など各種の方式がある。無線タグの交信可能距離は、通信方式や電磁波の強弱によって異なるが、おおよそ数ｍｍ程度〜数十センチ程度の範囲である。ＩＣメモリチップ３４としては、記憶保持動作に給電が不要な不揮発性メモリが使用される。
【００２０】
無線タグ１６は、無線タグライター２６と無線により交信することで、インデックスデータが記録される。無線タグ１６内のインデックスデータは、記憶メディア本体１１ａにコンテンツデータが記録される際に記録され、記憶メディア本体１１ａからコンテンツデータの全部又は一部が消去されると、それに連動して無線タグ１６内の対応するインデックスデータも消去される。
【００２１】
以下、上記構成による作用について説明する。レコーダー１２にＤＶＤ−ＲＡＭメディア１１をセットしてテレビ番組の録画指示をすると、信号入力部２３から入力された電波がデジタルデータに変換されて、記録／再生ユニット２２によって、記憶メディア本体１１ａへコンテンツデータが記録される。他方、無線タグライター２６によって、無線タグ１６にはインデックスデータが記録される。
【００２２】
ＤＶＤ−ＲＡＭメディア１１がレコーダー１２から取り出されている状態で、記憶メディア本体１１ａ内の記録内容を確認する場合には、電源スイッチ１７ａを押下する。すると、ＬＣＤパネル１４がオンして、無線タグ１６に記録されたインデックスデータが表示される。
【００２３】
上記実施形態では、記憶メディアとしてＤＶＤ−ＲＡＭメディアを例に説明したが、図３に示すように、ビデオカセットテープ４１に表示装置４２を設けてもよい。この場合には、無線タグライターが設けられたＶＣＲ４３によって無線タグにインデックスデータが書き込まれる。もちろん、ビデオカセットテープ以外にも、ＭＤ（ミニディスク）メディア，ＭＯ（Ｍａｇｎｅｔ  Ｏｐｔｉｃａｌ）メディアなど各種ケース付き記憶メディアに適用することができる。また、今後の技術革新により表示装置のさらなる薄型化が実現した場合には、ケース付き記憶メディアだけでなく、ＣＤ（Ｃｏｍｐａｃｔ  Ｄｉｓｃ）メディアやＤＶＤ−Ｒメディアなどケース無し記憶メディアに適用することも可能である。
【００２４】
また、図４に示すように、パーソナルコンピュータ５２の周辺機器として動作する無線タグライター５１を使用して、無線タグ１６内のインデックスデータを編集できるようにしてもよい。もちろん、無線タグライター５１にキーボードを設けて、単体で動作するものを使用してもよい。
【００２５】
また、上記実施形態では、表示装置が記憶メディアの外面に貼付される例で説明したが、表示装置は、記憶メディアに着脱式に取り付けられるものでもよいし、記憶メディアの製造時に着脱不能に取り付けられるものでもよい。
【００２６】
【発明の効果】
以上詳細に説明したように、本発明は、表示パネルとメモリとからなり、装置本体が記憶メディアの外面に取り付け可能な記憶メディアのインデックス表示装置を構成し、前記メモリに記憶メディア本体に記録されたコンテンツデータのインデックスデータを記憶するようにしたから、記憶メディアの記録内容を簡単に確認することができる。
【図面の簡単な説明】
【図１】記憶メディアのインデックス記録システムの構成図である。
【図２】表示装置とレコーダーの電気構成の概略を示すブロック図である。
【図３】記憶メディアとしてビデオカセットテープを使用した例の説明図である。
【図４】無線タグ内のインデックスデータを編集する無線タグライターの説明図である。
【符号の説明】
１１  ＤＶＤ−ＲＡＭメディア
１２  ＤＶＤビデオレコーダー
１３  表示装置
１４  表示パネル
１６  無線タグ
２６  無線タグライター
【図１】
2005004930.tif 000003
【図２】
2005004930.tif 000004
【図３】
2005004930.tif 000005
【図４】
2005004930.tif 000006